(57)【要約】【課題】  ユーザにとって直感的に視聴コンテンツにアクセスできユーザのＡＶ視聴要求と直結した目的の視聴空間を容易に実現できる空間演出方法および装置を提供すること。【解決手段】  演出しようとする環境、情景を「目的情景」として、その「目的情景」についての属性に対応させて「目的情景」を演出するのに必要な被制御装置の制御パラメータを目的情景データベース５へ設定し、発生したイベントをイベント検出手段１により検出し、制御手段６により、イベント検出手段１により検出したイベントの「目的情景」についての属性を判定し、判定したイベントの「目的情景」についての属性をもとに目的情景データベース５を検索し、「目的情景」を演出するのに必要な被制御装置の制御パラメータを読み出し、読み出した制御パラメータをもとに被制御装置を制御し、ユーザのＡＶ視聴要求と直結した目的とする環境、情景を円滑かつ容易に演出する。【選択図】図１
2007053560.tif 000002
【特許請求の範囲】
【請求項１】
目的とする情景を演出するのに必要な被制御装置の制御パラメータを用いて前記被制御装置を制御し、前記目的とする情景を演出する空間演出方法であって、
前記目的とする情景についての属性に対応させて、その目的とする情景を演出するのに必要な被制御装置の制御パラメータを目的情景データベースに記録するステップと、
発生したイベントの前記目的とする情景についての属性を判定するステップと、
前記判定したイベントの前記目的とする情景についての属性をもとに前記目的情景データベースを検索し、前記目的とする情景を演出するのに必要な被制御装置の制御パラメータを読み出すステップと、
前記読み出した制御パラメータをもとに、前記目的とする情景を演出するのに必要な被制御装置を制御するステップと、
を備えたことを特徴とする空間演出方法。
【請求項２】
前記被制御装置を制御するステップは、前記目的とする情景を演出しようとする空間の状態を示す外部情報、前記被制御装置やその被制御装置を制御する制御手段から得られる状態情報、および前記目的情景データベースから読み出した前記被制御装置の制御パラメータをもとに生成した制御コマンドを前記被制御装置との間で送受信し前記被制御装置を制御することを特徴とする請求項１記載の空間演出方法。
【請求項３】
前記発生したイベントは目的情景切替イベント、操作イベント、状態変化イベントを含み、前記発生したイベントの前記目的とする情景についての属性は、“映画鑑賞”、“音楽鑑賞”、“ＴＶ鑑賞”、“外出”、“帰宅”を含むことを特徴とする請求項１または２記載の空間演出方法。
【請求項４】
目的とする情景を演出するのに必要な被制御装置の制御パラメータを用いて前記被制御装置を制御し、前記目的とする情景を演出する空間演出システムであって、
前記目的とする情景についての属性に対応させて、その目的とする情景を演出するのに必要な被制御装置の制御パラメータが設定された目的情景データベースと、
発生したイベントを検出するイベント検出手段と、
前記イベント検出手段により検出したイベントの前記目的とする情景についての属性を判定し、前記判定したイベントの前記目的とする情景についての属性をもとに前記目的情景データベースを検索し、前記目的とする情景を演出するのに必要な被制御装置の制御パラメータを読み出し、前記読み出した制御パラメータをもとに、前記目的とする情景を演出するのに必要な被制御装置を制御する制御手段と、
前記制御パラメータをもとに生成された制御コマンドを、前記制御手段と前記被制御装置との間で送受信する通信手段と、
を備えたことを特徴とする空間演出システム。
【請求項５】
前記目的とする情景を演出しようとする空間の状態を示す外部情報を検出するための外
部情報検出手段を備え、前記制御手段は、前記外部情報検出手段が検出した前記目的とする情景を演出しようとする空間の状態を示す外部情報、前記被制御装置およびその被制御装置を制御する前記制御手段から得られる状態情報、および前記目的情景データベースから読み出した前記被制御装置の制御パラメータをもとに生成した制御コマンドを前記被制御装置との間で送受信し前記被制御装置を制御することを特徴とする請求項４記載の空間演出システム。
【請求項６】
被制御装置の使用を含む機器使用についてのユーザの傾向や前記目的とする情景についての変更を学習し、自動的に目的情景データベースの制御パラメータの調整を行うデータベース自動更新機能を備えたことを特徴とする請求項４または５記載の空間演出システム。
【請求項７】
前記発生したイベントは目的情景切替イベント、操作イベント、状態変化イベントを含み、前記発生したイベントの前記目的とする情景についての属性は、“映画鑑賞”、“音楽鑑賞”、“ＴＶ鑑賞”、“外出”、“帰宅”を含むことを特徴とする請求項４または５記載の空間演出システム。
【発明の詳細な説明】
【技術分野】
【０００１】
本発明は、ユーザにとって直感的に視聴コンテンツにアクセスでき、ユーザのＡＶ視聴要求と直結した目的の視聴空間を容易に実現できる空間演出方法および装置に関し、例えば、複数定義可能な情景をもとに、温度、湿度、明るさを含む環境要素や空間演出に係る装置の状態に応じ、これら空間演出に係る装置を制御し、ユーザにとって直感的に映像や音楽などの視聴コンテンツにアクセスでき、これらコンテンツを視聴する映画館、コンサートホール、野外ホールなどのユーザのＡＶ視聴要求と直結した目的の視聴空間を容易に演出できるようにした空間演出方法および装置に関する。
【背景技術】
【０００２】
例えば、映像や音楽などのコンテンツを視聴する場合、映画館、コンサートホール、野外ホールなどの視聴空間をＤＳＰによる音場再現機能を用いて演出することが出来る。このような視聴空間を再現して映像や音楽などのコンテンツを視聴する場合、ＡＶ機器の電源の入切、入力機器選択の操作、音量や音場効果の調節、再生停止など多くの操作をする必要があった。さらに、これに加えて、照明の調光、冷暖房の調節、窓（カーテン）の開閉、スクリーンの昇降など周囲の環境についての操作を行う必要もあった。また、視聴コンテンツやユーザの気分によって操作および手順が異なることもある。
このような複数の被制御装置を制御する手段として、リモコンに設けた操作釦（例、ＶＴＲ  Ｐｌａｙ）の１回の操作で複数の制御信号が順次発信され，この信号を複数の機器（例、ＶＴＲ，ＴＶ）で受信して各機器毎に必要な切り換えを行うようにしたリモコン送信器が提案されている（特許文献１）。
【特許文献１】特開昭５７−７６９９２号公報
【発明の開示】
【発明が解決しようとする課題】
【０００３】
かかる従来のリモコン送信器では、２つの機器に限定されていること、制御コマンドはリモコン側で生成し各被制御装置に送信していること、各操作釦に対し１パターンの順次制御機能が割り当てられるといった制限があるという課題があった。
【０００４】
本発明は、このような事情に鑑みてなされたものであり、ユーザにとって直感的に視聴コンテンツにアクセスでき、ユーザのＡＶ視聴要求と直結した目的の視聴空間を容易に実現できる空間演出方法および装置を提供することを目的とする。
【課題を解決するための手段】
【０００５】
上述の目的を達成するため、本発明にかかる空間演出方法は、目的とする情景を演出するのに必要な被制御装置の制御パラメータを用いて前記被制御装置を制御し、前記目的とする情景を演出する空間演出方法であって、前記目的とする情景についての属性に対応させて、その目的とする情景を演出するのに必要な被制御装置の制御パラメータを目的情景データベースに記録するステップと、発生したイベントの前記目的とする情景についての属性を判定するステップと、前記判定したイベントの前記目的とする情景についての属性をもとに前記目的情景データベースを検索し、前記目的とする情景を演出するのに必要な被制御装置の制御パラメータを読み出すステップと、前記読み出した制御パラメータをもとに、前記目的とする情景を演出するのに必要な被制御装置を制御するステップとを備えたことを特徴とする。
【０００６】
また、上述の目的を達成するため、本発明にかかる空間演出システムは、目的とする情景を演出するのに必要な被制御装置の制御パラメータを用いて前記被制御装置を制御し、前記目的とする情景を演出する空間演出システムであって、前記目的とする情景についての属性に対応させて、その目的とする情景を演出するのに必要な被制御装置の制御パラメータが設定された目的情景データベースと、発生したイベントを検出するイベント検出手段と、前記イベント検出手段により検出したイベントの前記目的とする情景についての属性を判定し、前記判定したイベントの前記目的とする情景についての属性をもとに前記目的情景データベースを検索し、前記目的とする情景を演出するのに必要な被制御装置の制御パラメータを読み出し、前記読み出した制御パラメータをもとに、前記目的とする情景を演出するのに必要な被制御装置を制御する制御手段と、前記制御パラメータをもとに生成された制御コマンドを、前記制御手段と前記被制御装置との間で送受信する通信手段と
を備えたことを特徴とする。
【発明の効果】
【０００７】
このような本発明による空間演出方法および装置によれば、どのような情景を演出するか、すなわち目的とする情景を選択することで、ユーザのＡＶ視聴要求と直結した目的の視聴空間が自動的に構築され、さらに視聴コンテンツを得ることが出来るなど、ユーザにとって直感的に視聴コンテンツにアクセスできる、ユーザのＡＶ視聴要求と直結したインタフェースを実現できる効果がある。
また、被制御装置に対しそれぞれ設定操作を行うなどの手間が省略でき、どの機器を使用するかなどのシステム構成を意識することなく、円滑かつ容易にユーザのＡＶ視聴要求と直結した目的の視聴空間を自動的に構築でき、さらに視聴コンテンツを得ることが出来る効果がある。
【発明を実施するための最良の形態】
【０００８】
本願発明の実施の形態は、例えば、「ＴＶ鑑賞」、「映画鑑賞」、「音楽鑑賞」などの目的情景を演出するのに必要な被制御装置の制御パラメータを前記目的情景に対応させて目的情景データベースへ設定し、発生したイベントの前記目的情景についての属性を判定し、前記判定したイベントの前記目的情景についての属性をもとに前記目的情景データベースを検索し、前記目的情景を演出するのに必要な被制御装置の制御パラメータを読み出し、前記読み出した制御パラメータをもとに、前記目的情景を演出するのに必要な被制御装置を制御する。
【実施例１】
【０００９】
図１は、この実施例１の空間演出方法が適用される空間演出システムの構成を示すブロック図である。この空間演出システムは、イベント検出手段１、表示手段２、外部情報検出手段３、パラメータ入力調整手段４、目的情景データベース５と、これらイベント検出手段１、表示手段２、外部情報検出手段３、パラメータ入力調整手段４、目的情景データベース５および通信手段８，９，１０，１１，１２を介して、被制御装置２１，２２，２３，２４を制御するための制御手段６を備えている。さらに制御手段６はデータベース自動更新機能７を有している。制御装置６はネットワーク４１を経由し、通信手段８，９，１０，１１，１２を介して、被制御装置２１，２２，２３，２４との間で各種制御コマンドや各種情報を送受信できるように構成されている。そして、複数の被制御装置に対して複数の制御コマンドを順次処理、並列処理できる機能を備えている。
ネットワーク４１は、被制御装置に応じてＬＡＮケーブル、ＲＳ２３２Ｃ、赤外光通信、無線ＬＡＮなどにより構成されている。
【００１０】
被制御装置２１には制御手段６から送られてくる電源制御用の制御コマンドにより電源をオンまたはオフする電源制御機能３１が設けられている。また、被制御装置２２には制御手段６から送られてくる電源制御用の制御コマンドにより電源をオンまたはオフする電源制御機能３２が設けられている。また、被制御装置２３には制御手段６から送られてくる電源制御用の制御コマンドにより電源をオンまたはオフする電源制御機能３３が設けられている。また、被制御装置２４には制御手段６から送られてくる電源制御用の制御コマンドにより電源をオンまたはオフする電源制御機能３４が設けられている。被制御装置２１，２２，２３，２４は、ＴＶ、ＤＶＤプレーヤ、ＣＤプレーヤ、サラウンド音場再現機能を有したスピーカシステムなどのＡＶ機器類、プロジェクタ、ＰＣやサーバなどの情報処理装置、調光機能を有した照明装置、空調装置、スクリーン昇降装置、カーテン駆動装置、防犯装置、その他の空間演出を行うための装置を含む。
なお、ＴＶ、ＤＶＤプレーヤ、ＣＤプレーヤ、サラウンド音場再現機能を有したスピーカシステムなどのＡＶ機器類やプロジェクタは、音声信号やビデオ信号を送受するため必要に応じて互いにケーブル５１にて所定の入出力端子間が接続されている。
【００１１】
イベント検出手段１は、この空間演出システムに対し各種入力操作を行うための入力装置の各種キー、この空間演出システムに付属しているリモコン送信器の所定のキーをユーザが操作することにより発生するイベント、さらに被制御装置の状態変化に伴って発生するイベント、玄関ドアーが開錠操作されたときの玄関ドアー開錠検出センサの状態変化により発生するイベントを含む各種イベントを検出する。このイベント検出手段１は、複数種類のイベントを検出できる機能を備えている。
なお、被制御装置の状態変化に伴って発生するイベントとは、例えば被制御装置がＤＶＤプレーヤやＣＤプレーヤである場合に、映像コンテンツや音楽コンテンツの再生が終了し被制御装置が再生を停止した状況で発生するイベントを含む。この被制御装置の状態変化に伴って発生するイベントは、通信手段８，９，１０，１１，１２を介しネットワーク４１を経由して被制御装置から送られてくる。
【００１２】
表示手段２は、例えば液晶、プラズマ、ＬＥＤ、ＥＬまたは蛍光管などにより構成されたこの空間演出システムに設けられている表示部であり、この空間演出システムの前記入力装置の各種キー、またはこの空間演出システムに付属しているリモコン送信器の所定のキーをユーザが操作することにより選択された状態を表示する。
【００１３】
外部情報検出手段３は、室内外の温度、湿度および明るさ（照度）と、年月日、時刻を含む各種外部情報を検出し、これら外部情報の値とその変化をイベントとして検出する。室内外の温度は室内外に配置された温度検出装置、湿度は室内外に配置された湿度検出装置、明るさ（照度）は室内外に配置された照度検出装置、年月日、時刻はカレンダータイマ装置から得られる情報をソースとする。
なお、室内外の温度、湿度および明るさなどの情報はアナログ信号であり、外部情報検出手段３は、室内外の温度、湿度および明るさなどの各種外部情報を、図示していないＡ／Ｄコンバータにより変換し、ディジタルデータとして検出し、これら外部情報の値とその変化をそれぞれの外部情報のイベントとして検出する。
【００１４】
パラメータ入力調整手段４は、目的情景データベース５に対しユーザが、創出しようとする環境（目的の視聴空間）を目的情景として設定する際にユーザ個々の制御パラメータ値設定（被制御装置のオンまたはオフ、室内の温度、湿度、室内外の照度の各値、時刻などの設定）を行うためのものである。
【００１５】
目的情景データベース５は、この空間演出システムにより創出しようとする空間をどのような環境にするか、すなわちどのような情景を創出するかを「目的情景」とし、「目的情景」についての属性、例えば“ＴＶ鑑賞”、“映画鑑賞”、“音楽鑑賞”に対応させて、この「目的情景」を創出するために必要となる被制御装置の制御対象リストと、その制御対象となる被制御装置についての詳細制御情報が格納されている。この目的情景データベース５における被制御装置の制御対象リスト、被制御装置についての詳細制御情報は、目的情景データベース５の更新処理またはパラメータ入力調整手段４によるパラメータ値設定処理によりフレキシブルに変更できる。
【００１６】
制御手段６は、イベント検出手段１、表示手段２、外部情報検出手段３、パラメータ入力調整手段４、目的情景データベース５、データベース自動更新機能７および前記通信手段を含む各部を制御する。そして、被制御装置２１，２２，２３，２４との間で各種制御コマンドや各種情報の送受信を行うとともに、この空間演出システムに付属したリモコン送信器を用いたリモコン操作や、この空間演出システムの前記入力装置の各種キーの操作により生じる各種イベントに対し、前記被制御装置２１，２２，２３，２４およびこの空間演出システムから得られる現在の状態情報と、時刻や室内の温度、湿度、照度などの外部情報と、選択されている「目的情景」などの情報に応じて必要な被制御装置を制御する。
【００１７】
データベース自動更新機能７は、被制御装置の使用を含む機器使用の際のユーザの傾向や「目的情景」の変更を学習し、自動的に制御パラメータの調整を行い、目的情景データベース５の被制御装置の制御対象リストと、その制御対象となる被制御装置についての詳細制御情報を更新する機能であり、ユーザ個々の特性、嗜好、気分に応じてそれぞれのユーザに対し常に最適な「目的情景」を提供することを可能にする。
また、周囲の温度や湿度など、あらゆる外部的パラメータを検知し、前記検知した外部的パラメータに応じて自動的に目的情景データベース５のカスタマイズが可能なように構成されている。
【００１８】
図２は、この実施例１の空間演出システムにおける制御手段６の動作を示すフローチャートである。このフローチャートによれば、先ず、空間演出システムのシステム電源が投入されると（ステップＳ１）、現在の被制御装置２１，２２，２３，２４およびこの空間演出システムの現在の状態を、被制御装置２１，２２，２３，２４およびこの空間演出システムの状態情報から確認する。
なお、システム電源が投入された直後においては、通常、「目的情景」は設定されておらず、被制御装置についても全てオフの状態に初期設定される。
そして、前記確認した被制御装置２１，２２，２３，２４およびこの空間演出システムの状態を例えばＴＶ画面に表示するＯＳＤ表示処理を実行する（ステップＳ２）。このＯＳＤ表示処理では、例えば、被制御装置であるＴＶの電源が自動的にオンされ、このＴＶ画面上にＯＳＤ表示画面が出力され、ユーザが選択する「目的情景」についてのリストを画面表示する。
その後、イベントの発生を検出する処理へ移る（ステップＳ３）。このステップＳ３においてイベントの発生が検出されないときはステップＳ２へ戻り、被制御装置２１，２２，２３，２４およびこの空間演出システムの状態の確認と、ＯＳＤ表示の更新を行う。
一方、ステップＳ３においてイベントが発生すると、その発生したイベントが検出され、続くステップＳ４において発生したイベントの判定を行う。イベントの判定は、発生したイベントが目的情景切替イベントであるか、操作イベントであるか、または状態変化イベントであるか、さらにどの「目的情景」について発生したイベントであるかを判定する。
目的情景切替イベントは、前記ＯＳＤ画面表示処理で表示したＯＳＤ画面上での、ユーザによる前記入力装置やリモコン送信器を用いたカーソルを含むボタン操作、あるいはリモコン送信器の目的情景選択ボタンによる１回のボタン操作により、設定されている「目的情景」に変更が生じたとき、あるいは、ユーザが一度外出した後に帰宅した状況で、施錠されている玄関ドアが開錠されたことにより発生するイベントなどが対象となる。また、操作イベントは、ＤＶＤプレーヤやＣＤプレーヤなどに対する「ＰＬＡＹ」。「ＰＡＵＳＥ」などの動作指示を入力する際の、イベント検出手段１が検出した入力装置の各種キー、付属のリモコン送信器の所定のキーをユーザが操作することにより発生するイベントが対象となる。また、状態変化イベントは、外部情報検出手段３により検出された、室内の温度、湿度、室内外の明るさ（照度）、年月日、時刻を含む各種外部情報の変化に伴って発生するイベントが対象となる。
【００１９】
ステップＳ４において判定されたイベントが目的情景切替イベントであるときには、続いて目的情景切替イベント対応処理を実行する（ステップＳ５）。また、ステップＳ４により判定されたイベントが操作イベントであるときには、発生した操作イベントに対応する操作イベント対応処理を実行する（ステップＳ６）。また、ステップＳ４により判定されたイベントが状態変化イベントであるときには、発生した状態変化イベントに対応する状態変化イベント対応処理を実行する（ステップＳ７）。
【００２０】
図３は、目的情景切替イベント対応処理を示すフローチャートである。この目的情景切替イベント対応処理では、先ず、切り替えられた「目的情景」を判定し（ステップＳ１１）、次に前記判定した「目的情景」をキーにして目的情景データベース５を参照し（ステップＳ１２）、目的情景データベース５から対応する被制御装置の制御パラメータを読み出す（ステップＳ１３）。そして、さらに前記制御対象となる被制御装置やその被制御装置を制御する制御手段６の現在の状態についての情報を取得する（ステップＳ１４）。
【００２１】
図２に示すフローチャートへ戻り、前記ステップＳ１３において目的情景データベース５から読み出した制御パラメータや前記ステップＳ１４において取得した被制御装置の現在の状態、その被制御装置を制御する制御手段６の現在の状態についての情報をもとに、対応する被制御装置についての制御コマンドを生成し（ステップＳ８）、ネットワーク４１を介して前記被制御装置へ送信する（ステップＳ９）。この制御コマンドは、例えば対応する被制御装置の電源のオンまたはオフを制御するコマンドを含む。前記制御コマンドを受信した前記被制御装置では、受信した制御コマンドをもとに電源制御機能が電源のオンまたはオフを行う。続くステップＳ１０ではこの空間演出システムのシステム電源のオフを判定し、システム電源がオフになっていなければ、対応する被制御装置の状態を確認し、さらに前記ステップＳ１１において判定した「目的情景」に対応させて前記確認した前記被制御装置の状態をＯＳＤ表示する（ステップＳ２）。
【００２２】
このＯＳＤ表示処理では、「目的情景」が“映画鑑賞”である場合には、ＴＶ画面上に出力されたＯＳＤ表示画面上へＤＶＤなどの映像アイテムをリスト表示する。また、「目的情景」が“音楽鑑賞”である場合にはＣＤなどの音楽関連アイテムをリスト表示する。また、「目的情景」が“ＴＶ鑑賞”である場合には一定の時間ＯＳＤ表示処理を行なった後、ＯＳＤ表示をオフにする。
【００２３】
次に、ステップＳ３へ進み、イベントの発生を検出する処理へ移行する。この処理においてユーザによる操作イベントが発生すると、発生した操作イベントが検出され、続くステップＳ４において前記検出した操作イベントを判定し、ステップＳ６へ進む。ステップＳ６では、前記判定した操作イベントに対応した操作イベント対応処理を行う。
操作イベントは、この空間演出システムに対しユーザが各種入力操作を行うための入力装置の各種キー、この空間演出システムに付属しているリモコン送信器の所定のキーをユーザが操作することにより発生するイベントを含み、さらに例えば前記ＯＳＤ表示処理でＴＶ画面上に出力したＯＳＤ表示画面上の、「目的情景」が“映画鑑賞”である場合のＤＶＤなどの映像アイテムのリスト表示に対するユーザのアイテム選択操作により発生するイベントも含む。
【００２４】
図４は操作イベント対応処理を示すフローチャートである。この操作イベント対応処理では、操作イベントの解釈処理（ステップＳ２１）、「目的情景」の確認処理（ステップＳ２２）、前記確認した「目的情景」をキーにして目的情景データベース５を参照する処理（ステップＳ２３）、前記「目的情景」に対応した制御パラメータを取得する処理（ステップＳ２４）を実行する。
なお、ステップＳ２１の操作イベントの解釈処理では、この空間演出システムに対しユーザが各種入力操作を行うための入力装置の各種キー（例えば“ＰＬＡＹ”、“ＰＡＵＳＥ”などのキー）、この空間演出システムに付属しているリモコン送信器の所定のキー（例えば“ＰＬＡＹ”、“ＰＡＵＳＥ”などのキー）をユーザが操作することにより発生した“ＰＬＡＹ”、“ＰＡＵＳＥ”などのイベントの識別を行う。
続くステップＳ２５では、被制御装置やその被制御装置を制御する制御手段６の現在の状態、外部情報検出手段３により検出された外部情報を取得する。
そして、図２に示すフローチャートへ戻り、続くステップＳ８において、前記「目的情景」に対応した被制御装置や制御手段６から得られる現在の状態、前記ステップＳ２１において解釈した操作イベント、前記ステップＳ２４において取得した制御パラメータをもとに制御コマンドを生成し、前記「目的情景」に対応した被制御装置へ送信する（ステップＳ９）。この制御コマンドは、例えば対応する被制御装置がＤＶＤプレーヤやＣＤプレーヤである場合のＤＶＤやＣＤの再生開始や再生の中止を制御するコマンドを含む。前記制御コマンドを受信した被制御装置では、受信した制御コマンドをもとにＤＶＤやＣＤのコンテンツ再生が開始され、あるいは再生が中断される。
続くステップＳ１０ではこの空間演出システムのシステム電源のオフ状態を判定し、システム電源がオフになっていなければ、「目的情景」に対応する被制御装置の状態を確認し、さらに「目的情景」に対応させて前記確認した被制御装置の状態をＯＳＤ表示する（ステップＳ２）。
なお、ＤＶＤなどの映像コンテンツの再生時には、制御コマンドにより被制御装置の再生状態を確認後、ＯＳＤ表示を消す。
【００２５】
次に、ステップＳ３へ進み、イベントの発生を検出する処理に移行する。この処理において状態変化イベントが発生すると、発生した状態変化イベントを検出し、続くステップＳ４において前記発生した状態変化イベントを判定し、ステップＳ７へ進む。ステップＳ７では、前記判定した状態変化イベントに対応した状態変化イベント対応処理を行う。この状態変化イベントは、イベント検出手段１により検出される被制御装置の状態変化に伴って発生するイベント、外部情報検出手段３により検出される室内の温度、湿度、明るさ（照度）、年月日、時刻を含む各種外部情報の変化に伴うイベントを含む。
【００２６】
図５は、ステップＳ７の状態変化対応処理を示すフローチャートである。このフローチャートに示すように、状態変化対応処理では、先ず、発生した状態変化イベントを解釈し（ステップＳ３１）、次に、現在設定されている「目的情景」を確認する（ステップＳ３２）。そして、前記確認した「目的情景」をキーにして目的情景データベース５を参照する処理（ステップＳ３３）、前記「目的情景」に対応した制御パラメータを取得する処理（ステップＳ３４）を実行する。続いて被制御装置やその被制御装置を制御する制御手段６の現在の状態、外部情報検出手段３により検出された外部情報を取得する（ステップＳ３５）。
なお、ステップＳ３１の状態変化イベントの解釈処理では、被制御装置がＤＶＤプレーヤやＣＤプレーヤである場合に、映像コンテンツや音楽コンテンツの再生が終了し被制御装置が再生を停止した状況で発生する、イベント検出手段１により検出される被制御装置の状態変化に伴うイベント、外部情報検出手段３により検出される室内の温度、湿度、明るさ（照度）、年月日、時刻を含む各種外部情報の変化に伴うイベントなどについてのイベント解釈を行う。
【００２７】
図２のフローチャートへ戻り、前記「目的情景」に対応した被制御装置や制御手段６から得られた現在の状態、外部情報検出手段３により検出した外部情報、前記取得した制御パラメータをもとに制御コマンドを生成する（ステップＳ８）。そして、前記「目的情景」に対応した被制御装置へ送信する（ステップＳ９）。前記ステップＳ８では、外部情報検出手段３により検出される室内の温度、湿度、明るさ（照度）、年月日、時刻を含む各種外部情報を補正値として、前記目的情景データベース５から取得した前記制御パラメータに対し補正処理を行う。このステップＳ８の処理は、例えば検出した室内の照度をもとに前記目的情景データベース５から取得した室内の照明についての制御パラメータを補正する処理である。
【００２８】
この結果、室内の明るさが外的な要因により変化したような場合であっても、目的情景データベース５に設定されている制御パラメータを、検出した室内の照度についての外部情報をもとに最適な値に自動補正し、室内の照明を制御することで、常に最適な環境の演出が可能になる。
【００２９】
図６は、図１の空間演出システムの具体例を示すブロック図である。なお、図６において図１と同一または相当の部分については同一の符号を付し説明を省略する。図６に示す空間演出システムは、イベント検出手段１、表示手段２、外部情報検出手段３、パラメータ入力調整手段４、目的情景データベース５と、これらイベント検出手段１、表示手段２、外部情報検出手段３、パラメータ入力調整手段４および目的情景データベース５と、通信手段を介して被制御装置を制御するための制御手段６を備えている。さらに制御手段６はデータベース自動更新機能７を有している。制御装置６はネットワーク９１，９２を経由し、前記通信手段を介して、前記被制御装置との間で各種制御コマンドや各種情報を送受信できるように構成されている。
ネットワーク９１，９２は、被制御装置に応じてＬＡＮケーブル、ＲＳ２３２Ｃ、赤外光通信、無線ＬＡＮなどにより構成されている。
【００３０】
各被制御装置には制御手段６から送られてくる電源制御用の制御コマンドにより電源をオンまたはオフする図示していない電源制御機能が設けられている。
前記被制御装置は、具体的には、ＴＶ２０１、ＤＶＤプレーヤ２０２、ＣＤプレーヤ２０３、サラウンド音場再現機能を有したスピーカシステム２０４などのＡＶ機器３０１、プロジェクタ２０７、ＰＣやサーバなどの情報処理装置２１１、調光制御装置２０５および照明装置２０６、空調装置２１３、スクリーン昇降装置２０８、カーテン駆動装置２０９、防犯装置２１２を含む。
なお、ＴＶ２０１、ＤＶＤプレーヤ２０２、ＣＤプレーヤ２０３、サラウンド音場再現機能を有したスピーカシステム２０４などのＡＶ機器３０１やプロジェクタ２０７は、音声信号やビデオ信号を送受するため必要に応じて互いにケーブル４０１にて所定の入出力端子間が接続されている。
通信手段８と通信手段１０１〜１１１は、制御装置６が前記各被制御装置との間で各種制御コマンドや各種情報を送受信するためのものである。通信手段１０１は、制御装置６がネットワーク９１を介してＴＶ２０１との間で各種制御コマンドや各種情報を送受信するためものものである。通信手段１０２は、制御装置６がネットワーク９１を介してＤＶＤプレーヤ２０２との間で各種制御コマンドや各種情報を送受信するためのものである。
通信手段１０３は、制御装置６がネットワーク９１を介してＣＤプレーヤ２０３との間で各種制御コマンドや各種情報を送受信するためものものである。通信手段１０４は、制御装置６がネットワーク９１を介してスピーカシステム２０４との間で各種制御コマンドや各種情報を送受信するためのものである。
通信手段１０５は、制御装置６がネットワーク９２を介して照明装置２０６や調光制御装置２０５との間で各種制御コマンドや各種情報を送受信するためのものである。通信手段１０６は、制御装置６がネットワーク９２を介してプロジェクタ２０７との間で各種制御コマンドや各種情報を送受信するためものものである。通信手段１０７は、同様に制御装置６がスクリーン昇降装置２０８との間で各種制御コマンドや各種情報を送受信するためのものである。通信手段１０８は、同様に制御装置６がカーテン駆動装置２０９との間で各種制御コマンドや各種情報を送受信するためのものである。通信手段１０９は、同様に制御装置６がパーソナルコンピュータやサーバなどの情報処理装置２１１との間で各種制御コマンドや各種情報を送受信するためのものである。通信手段１１０は、同様に制御装置６が防犯装置２１２との間で各種制御コマンドや各種情報を送受信するためのものある。通信手段１１１は、同様に制御装置６が空調装置２１３との間で各種制御コマンドや各種情報を送受信するためのものでる。
【００３１】
目的情景データベース５には、図７に示す「目的情景」に応じた前記被制御装置についての制御対象リストと、図８に示す「目的情景」に応じた各被制御装置の制御パラメータ
が設定されている。この制御パラメータは、例えば「目的情景」がホラー映画の映画鑑賞である場合、ＤＶＤプレーヤ２０２の映像コンテンツの再生を示す操作イベント「ＰＬＡＹ」の発生に対しては照明Ａが２０％（例えば、照明Ａの定格ワット数が１００ワットとすると、調光制御装置２０５により２０ワットに調光された状態）、照明Ｂが２０％、サブ照明が２０％に調光され、また、空調装置２１３がオン、ＴＶがオン、スピーカシステム２０４がオン、ＤＶＤプレーヤ２０２の状態が再生状態、スクリーン昇降装置２０８はスクリーン下降の状態、プロジェクタ２０７は電源オン、カーテン駆動装置２０９はカーテン展開などの設定内容になっている。
【００３２】
これら制御対象リストと制御パラメータは、パラメータ入力調整手段４によりユーザが設定変更できるように構成されている。さらにデータベース自動更新機能７により、ユーザの機器使用についての傾向や「目的情景」への変更を学習し、自動的にパラメータ調整を行い、目的情景データベース５の被制御装置の制御対象リストと、その制御対象となる被制御装置についての前記制御パラメータを更新することが可能であり、ユーザ個々の特性、嗜好、気分に応じてそれぞれのユーザに対し常に最適な「目的情景」を提供することを可能にする。
【００３３】
次に、図２、図３、図４、図５に示すフローチャート、図７に示す制御対象リストおよび図８に示す目的情景データベース５における被制御装置について設定されている制御パラメータを参照し、図６に示す構成の空間演出システムの動作の一例について具体的に説明する。
なお、以下の説明において、この空間演出システムは、通常、システム電源はオンされた状態にあるものとする。また、ユーザは玄関ドア、その他の出入り口を施錠し「目的情景」“外出”を選択して外出中であったとする。
この「目的情景」“外出”では、図８の目的情景データベース５の制御パラメータに設定されているように、防犯装置２１２を除き他の全ての被制御装置は電源オフの状態にある。また、カーテン駆動装置２０９もカーテン展開の制御状態にある。そして、この空間演出システムは、図２のフローチャートのステップＳ３において、発生するイベントを検出可能な状態にある。この状態で、ユーザが外出先から帰宅すると、ユーザは玄関ドアの開錠を行う。すると、玄関ドアの開錠がイベントとして検出され（ステップＳ３）、次に、発生したイベントの判定が行われ、玄関ドアの開錠による目的情景切替イベントと判定され（ステップＳ４）る。目的情景データベース５に設定されているように、「目的情景」“外出”が選択されている場合、この空間演出システムでは玄関ドアーの施錠を監視しており、玄関ドアーが開錠操作されたときの玄関ドアー開錠検出センサの状態変化によるイベントの発生を検出可能な状態にある。このため、「目的情景」“外出”が選択されている場合に玄関ドアーが開錠操作され玄関ドアー開錠検出センサの状態変化によるイベントが発生すると、この空間演出システムにおいて選択されていた「目的情景」は、“外出”から“帰宅”へ切り替わり、「目的情景」“帰宅”に対応した目的情景切替イベント対応処理を実行する（ステップＳ５）。この目的情景切替イベント対応処理では、図３のフローチャートに示す処理が実行され、「目的情景」“帰宅”に対応した制御パラメータが目的情景データベース５から読み出され、さらに被制御装置の状態や外部情報を取得する（ステップＳ１１、１２，１３、１４）。
続いて、図２に示すフローチャートへ戻り、前記「目的情景」“帰宅”に対応したＴＶ２０１、スピーカシステム２０４、調光制御装置２０５、照明装置２０６、プロジェクタ２０７、空調装置２１３、カーテン駆動装置２０９、情報処理装置２１１、防犯装置２１２の現在の状態、外部情報検出手段３により検出した外部情報、および前記取得した制御パラメータをもとに、前記各被制御装置に対する制御コマンドを生成する（ステップＳ８）。
そして、これら制御コマンドを前記「目的情景」“帰宅”に対応したＴＶ２０１、スピーカシステム２０４、調光制御装置２０５、照明装置２０６、プロジェクタ２０７、空調装置２１３、カーテン駆動装置２０９、情報処理装置２１１、防犯装置２１２へ送信する（ステップＳ９）。この制御コマンドにより、ＴＶ２０１、スピーカシステム２０４の電源をオンに制御し、照明装置２０６を調光制御装置２０５により制御して照明Ａ、Ｂについて１００％の明るさを確保し、空調装置２１３により空調制御を開始し、カーテン駆動装置２０９によりカーテンを開き、さらに情報処理装置２１１を起動する。また、これ以外のプロジェクタ２０７や防犯装置２１２などの被制御装置の電源をオフに制御する。そして、ステップＳ１０を経てステップＳ２へ戻る。
【００３４】
ステップＳ２では、「目的情景」“帰宅”に対応したスピーカシステム２０４、調光制御装置２０５、照明装置２０６、空調装置２１３、カーテン駆動装置２０９、情報処理装置２１１、プロジェクタ２０７、防犯装置２１２の現在の状態をＴＶ２０１へＯＳＤ表示し、情報処理装置２１１には帰宅用の音楽の再生リストを出力させ、イベントの発生を検出する状態になる（ステップＳ３）。
【００３５】
この結果、ユーザが外出先から帰宅して玄関ドアを開錠すると、「目的情景」が“外出”から“帰宅”へ切り替わり、調光制御装置２０５、照明装置２０６および空調装置２１３により室内の照明、空調が自動的に行われ、さらにスピーカシステム２０４からは帰宅用の音楽が出力可能になり、また、カーテン駆動装置２０９によりカーテンは自動的に操作され開かれることになる。
【００３６】
なお、ユーザが玄関ドアを開錠し帰宅すると防犯装置２１２は自動的に警備システムを解除し、防犯装置２１２の電源はオフとなる。あるいはユーザが玄関ドアを開錠し帰宅すると、タイマが動作し、このタイマによる一定の時間が経過するまでにユーザが防犯装置２１２による警備機能を解除することで、防犯装置２１２の電源をオフできるようにすることで警備機能の解除の際の信頼性の向上を図ることが可能である。
【００３７】
帰宅したユーザは、空間演出システムの入力装置により、または付属のリモコン送信器の操作により、ＴＶ２０１のＯＳＤ表示画面の確認やＯＳＤ表示画面上のカーソル操作を行うなどして、「目的情景」を“ＴＶ鑑賞”に切り替える。この結果、「目的情景」“ＴＶ鑑賞”に対応した制御パラメータが目的情景データベース５から読み出され、さらに被制御装置の状態や外部情報を取得する（図３のステップＳ１１、１２，１３、１４）。
続いて、前記「目的情景」“ＴＶ鑑賞”に対応した調光制御装置２０５、照明装置２０６、プロジェクタ２０７、スクリーン昇降装置２０８、空調装置２１３の現在の状態、外部情報検出手段３により検出した外部情報、および前記取得した制御パラメータをもとに、前記各被制御装置に対する制御コマンドを生成する（図２のステップＳ８）。
そして、これら制御コマンドを前記「目的情景」“ＴＶ鑑賞”に対応したＴＶ２０１、調光制御装置２０５、照明装置２０６、空調装置２１３、プロジェクタ２０７、スクリーン昇降装置２０８へ送信する（ステップＳ９）。この制御コマンドにより、ＴＶ２０１は、目的情景データベース５の「目的情景」“ＴＶ鑑賞”に記述されているようにお気に入りコンテンツ情報、例えばチャネル４を選局し、照明装置２０６は調光制御装置２０５により制御され照明Ａ、Ｂとサブ照明について１００％の明るさを確保し、空調装置２１３は室内の空調を行い、これ以外のプロジェクタ２９７の電源はオフに制御される。そして、ステップＳ１０を経てステップＳ２へ戻る。
【００３８】
ステップＳ２では、「目的情景」“ＴＶ鑑賞”に対応したＴＶ２０１、調光制御装置２０５、照明装置２０６、プロジェクタ２０７、スクリーン昇降装置２０８、空調装置２１３、カーテン駆動装置２０９の現在の状態をＴＶ２０１へＯＳＤ表示した後、消してから次のイベントの発生を検出する（ステップＳ３）。この結果、ＯＳＤ表示画面は、ＴＶ２０１に一定時間画面表示された後、消え、その後はチャネル４などのお気に入りコンテンツ情報を出力する。
【００３９】
次に、ユーザが音楽を聴きたくなり、リモコン送信器を用いた操作で、「目的情景」を“音楽鑑賞ジャズ”に切り替える。この「目的情景」の切り替え操作は、ＴＶ２０１の画面上に出力されたＯＳＤ表示画面上で行うことが出来る。すると、この目的情景切替イベントの発生により目的情景切替イベント対応処理へ移行し、図３のフローチャートに示す処理が実行される。この結果、「目的情景」“音楽鑑賞ジャズ”に対応する目的情景データベース５の制御パラメータが読み出され「目的情景」“音楽鑑賞ジャズ”に最適な環境が演出される。
この「目的情景」“音楽鑑賞ジャズ”に最適な環境の演出は、次のようにして実現される。最初、「目的情景」を“音楽鑑賞ジャズ”に切り替えた時点では室内の照明Ａ、Ｂ、サブ照明はそれぞれ８０％に調光される。また、空調装置２１３はオン、ＴＶ２０１はオフ（ＯＳＤ表示画面上での「目的情景」切り替え処理、「ＰＬＡＹ」、「ＰＡＵＳＥ」などについての操作イベントの確定後、ＴＶ２０１はオフとなる）、スピーカシステム２０４はオン、ＣＤプレーヤ２０３はオン、スクリーン昇降装置２０８はスクリーンを巻き上げ、プロジェクタ２０７はオフに制御される。
さらにこの状態で、ユーザが再生開始を「ＰＬＡＹ」指示すると、図４に示す操作イベント対応処理へ移行し、図４のフローチャートに示す処理が実行される。この結果、「目的情景」“音楽鑑賞ジャズ”、操作イベント「ＰＬＡＹ」に対応する目的情景データベース５の制御パラメータが読み出され「目的情景」“音楽鑑賞ジャズ”に最適な環境が演出される。すなわち、“音楽鑑賞ジャズ”、操作イベント「ＰＬＡＹ」に対応して、照明Ａ、Ｂ、サブ照明がそれぞれ３０％に調光され、室内の照明が暗くなり、また、空調装置２１３やスピーカシステム２０４はオンに制御され、室温、音量や音場の調節も行われる。
【００４０】
なお、もう一度テレビを見たいときに、再度、「目的情景」“ＴＶ鑑賞”に「目的情景」を切り替えると、各被制御装置の状態は前述した状態に戻る。
【００４１】
次に、ユーザがリモコン送信器の操作により「目的情景」を“映画鑑賞ホラー”に切り替える。すると、この目的情景切替イベントの発生により目的情景切替イベント対応処理へ移行し、図３のフローチャートに示す処理が実行される。この結果、「目的情景」“映画鑑賞ホラー”に対応する目的情景データベース５の制御パラメータが読み出され「目的情景」“映画鑑賞ホラー”に最適な環境が演出される。この「目的情景」“映画鑑賞ホラー”に最適な環境の演出は、次のようにして実現される。最初、「目的情景」が“映画鑑賞ホラー”に切り替えられた時点では、室内の照明Ａ、Ｂ、サブ照明はそれぞれ８０％に調光される。また、このとき空調装置２１３はオン、ＴＶ２０１はオフ（ＯＳＤ表示画面上での「目的情景」切り替え処理、「ＰＬＡＹ」、「ＰＡＵＳＥ」などについての操作イベントの確定後、ＴＶ２０１はオフとなる）、スピーカシステム２０４はオン、ＤＶＤプレーヤ２０２はオン、ＣＤプレーヤ２０３はオン、スクリーン昇降装置２０８はスクリーンを下降させ、プロジェクタ２０７はオン、カーテン駆動装置２０９はカーテンを展開する。
さらにこの状態で、ユーザがリモコン送信器を操作して「ＰＬＡＹ」指示すると、図４に示す操作イベント対応処理へ移行し、図４のフローチャートに示す処理が実行される。この結果、「目的情景」“映画鑑賞ホラー”、操作イベント「ＰＬＡＹ」に対応する目的情景データベース５の制御パラメータが読み出され「目的情景」“映画鑑賞ホラー”に最適な環境が演出される。すなわち、“映画鑑賞ホラー”、操作イベント「ＰＬＡＹ」に対応して、照明Ａ、Ｂ、サブ照明がそれぞれ２０％に調光され、室内の照明が暗くなり、また、音量や音場の調節も行われ映画用音場が再現され、ＤＶＤプレーヤ２０２から再生された映像がプロジェクタ２０７から出力され、スクリーンに映し出される。
【００４２】
また、この映画鑑賞中において、ユーザが手元のリモコン送信器を操作して「ＰＡＵＳＥ」指示すると、図４に示す操作イベント対応処理へ移行し、図４のフローチャートに示す処理が実行される。この結果、「目的情景」“映画鑑賞ホラー”、操作イベント「ＰＡＵＳＥ」に対応する目的情景データベース５の制御パラメータが読み出され、室内は操作イベント「ＰＡＵＳＥ」に対応する環境となる。すなわち、“映画鑑賞ホラー”、操作イベント「ＰＡＵＳＥ」に対応して、照明が全てオフの状態に制御され、室内の照明はさらに暗くなり、また、ＤＶＤプレーヤ２０２は再生を一時中止する。また、電源がオンとなっているＣＤプレーヤ２０３からは、図８の目的情景データベース５に記憶されているお気に入り情報、すなわちディスク２のトラック３に記録されているＢＧＭが再生され、スピーカシステム２０４から出力される状態になる。
【００４３】
その後、ユーザが再度、映画鑑賞を続行する場合、ユーザは手元のリモコン送信器を操作して「ＰＡＵＳＥ」指示する。すると、図４に示す操作イベント対応処理が実行される。この操作イベント対応処理では、ステップＳ２５において被制御装置の現在の状態、すなわちＤＶＤプレーヤ２０２が再生を一時中止している状態情報が取得され、また、ステップＳ２４において目的情景データベース５から「目的情景」“映画鑑賞ホラー”、操作イベント「ＰＡＵＳＥ」に対応する制御パラメータが読み出される。そして、図２に示すステップＳ８においては、前記「目的情景」に対応した被制御装置の現在の状態、すなわちＤＶＤプレーヤ２０２が再生を一時中止している状態情報と、前記ステップＳ２１において解釈した操作イベント「ＰＡＵＳＥ」と、目的情景データベース５から読み出した制御パラメータをもとに制御コマンドを生成する。
このテップＳ８における制御コマンドの生成処理では、ＤＶＤプレーヤ２０２が再生を一時中止している状態、すなわちＤＶＤプレーヤ２０２が「ＰＡＵＳＥ」の状態で、前記ステップＳ２１で解釈した操作イベントが「ＰＡＵＳＥ」であったことから、前記発生した操作イベントを「ＰＡＵＳＥ」ではなく再生一時中止状態の解除「ＰＬＡＹ」と再解釈する。そして、前記再解釈した操作イベント「ＰＬＡＹ」をもとに目的情景データベース５から制御パラメータを再度読み出し、この制御パラメータをもとに制御コマンドを生成する。すなわち、ＤＶＤプレーヤ２０２に対しては前記一時中止した場面から再生を続行する制御コマンドを生成する。また、ＣＤプレーヤ２０３に対しては、それまで行なっていた前記ＢＧＭの再生を停止させオフの状態にする制御コマンドを生成する。また、照明装置２０６に対しては、照明Ａ、Ｂ、サブ照明をそれぞれ２０％に調光する結果、室内の照明はやや明るくなり、また、音量や音場の調節も映画用の音場で再現される。ＤＶＤプレーヤ２０２からは前記再生された映像がプロジェクタ２０７から出力され、スクリーンに映し出される。
また、映画が終了し、クレジット画面になると、ＤＶＤプレーヤ２０２において発生する状態変化イベントをもとに映画が終了したと判断し、照明Ａ、Ｂ、サブ照明とも８０％調光制御される結果、全照明が除々に明るくなり、スクリーンが巻き上げられる。
【００４４】
以上のように、この実施例１によれば、ユーザはどの機器を再生するかという操作方法ではなく、どのような情景を演出するか、すなわち「目的情景」を選択することで、目的の視聴空間が自動的に構築され、さらに視聴コンテンツを得ることが出来るため、ユーザにとって直感的に視聴コンテンツにアクセスでき、ユーザのＡＶ視聴要求と直結したインタフェースを提供でき、システム構成を意識することなくユーザのＡＶ視聴要求と直結した目的の視聴空間を容易に実現できる空間演出方法および装置を提供できる。
また、「目的情景」“映画鑑賞”のように、本来同一の入力イベントである一時停止イベント「ＰＡＵＳＥ」に対し機器の状態に応じて制御内容を変更でき、よりスマートな空間演出を実現できる。
【実施例２】
【００４５】
また、照明、空調など目的情景を構築する機器とＡＶ機器やＰＣなどのコンテンツを再生する機器の連動制御や順次制御が可能となるため、例えば、空調装置の電源を切る操作に連動してＣＤの再生トラックを変更することや、照明を切る操作に連動してＴＶの電源を切りＰＣ内の音楽ファイルを再生することなどが可能となる。また同様に、ＡＶ機器への操作に連動しＤＶＤの再生を停止する操作を行なったあと1分後に照明を切るといった制御を自動的に行うことが可能である。
【００４６】
また、上記の目的情景を設定する方法として事前にパラメータ設定を行いユーザがカスタマイズ可能であるという特徴がある。また、ユーザの機器使用方法や目的情景への変更を学習し自動的にパラメータ調整を行う機能を持つことで、個人の嗜好や気分に応じて常に最適な目的情景を提供することが可能である。
【００４７】
また、目的情景の切り替え、呼び出しを行うイベントはユーザのキー操作以外にも、機器の状態変化や周囲環境の変化を検知した場合などが考えられる。例えば、映画鑑賞用の目的情景でＤＶＤ再生中に映像コンテンツの再生が終了し機器が再生を停止した場合には、ユーザの操作がなくとも自動的に映画鑑賞用の目的情景から音楽鑑賞用の目的情景へ切替える機能などが実現できる。
【００４８】
また、「目的情景」を演出しようとする空間の状態を示す外部情報を検出するための外部情報検出手段３を備えており、制御手段６は、前記外部情報検出手段３が検出した前記「目的情景」を演出しようとする空間の状態を示す外部情報、被制御装置の状態を示す状態情報、および目的情景データベース５から読み出した前記被制御装置の制御パラメータをもとに制御コマンドを生成し、前記生成した制御コマンドを前記被制御装置との間で送受信し、前記被制御装置を制御する。
このため、目的情景データベース５には、どの目的情景を選択中に室内の明るさがどの程度の明るさになった場合にカーテンを制御するかを規定する制御パラメータが記述されている。例えば、室内で「目的情景」“映画鑑賞ホラー”を選択中で操作イベント「ＰＬＡＹ」をもとに照明Ａ、Ｂ、サブ照明がそれぞれ２０％に調光された状態の明るさ、すなわち“映画鑑賞ホラー”用照度で映画鑑賞用の目的情景が演出されていた場合に、窓から日光が差し込み、室内の視聴空間の明るさが前記映画鑑賞ホラー”用照度を超えた場合を想定する。この場合、外部情報検出手段３により前記室内が前記映画鑑賞ホラー”用照度を超えたことを検出できる。このような場合、制御手段６はカーテン駆動装置２０９に対し、外部情報検出手段３により室内の照度を検出しフィードバックしながら、窓のカーテンを閉じ遮光する制御を自動的に行い、室内の照度が前記映画鑑賞ホラー”用照度になるよう、演出している「目的情景」を最適な状態に保つ。
【００４９】
また、本発明のシステムにおける被制御装置は、前述したようなＡＶ機器や目的情景を構築する機器に限定するものではなく、防犯装置なども対象とする。例えば、何も視聴しないという目的情景を定義し、家から出かける際などにその目的情景を選択する事で、制御装置の電源をスタンバイ状態にし、防犯機器をＯＮにする制御を行う事が可能である。
【００５０】
また、本発明の制御方法は設置型制御装置への実装に限定されるものではなく、遠隔制御装置などへの実装も可能である。
【００５１】
また、本発明の対象とする空間は家庭内に限定するものではなく、例えば、自動車内を対象とする場合にはドライブ中、信号待ち、駐車中、車から離れるといった目的情景が考えられ、それぞれに最適なＡＶコンテンツの再生や、音量制御、空調制御、ドアロック制御などを行う事が可能である。
【００５２】
その他にも、飛行機の個人スペースや、飲食店の個室スペース、カラオケボックスなど、様々な空間への応用が考えられる。また、室内に問わずアウトドアでの応用が考えられる。
【００５３】
また、被制御装置の制御インターフェースとしては、片方向や双方向を問わず、また有線、無線、シリアル、パラレルといった通信方式を限定するものではない。よって、ＩＲ通信、ＩＰネットワーク通信、可視光通信などあらゆるインターフェースを利用した応用が考えられる。
【図面の簡単な説明】
【００５４】
【図１】本発明の実施例１の空間演出方法が適用される空間演出システムの構成を示すブロック図である。
【図２】本発明の実施例１の空間演出システムにおける制御手段の動作を示すフローチャートである。
【図３】本発明の実施例１の空間演出システムにおける目的情景切替イベント対応処理を示すフローチャートである。
【図４】本発明の実施例１の空間演出システムにおける操作イベント対応処理を示すフローチャートである。
【図５】本発明の実施例１の空間演出システムにおける状態変化イベント対応処理を示すフローチャートである。
【図６】本発明の実施例１の空間演出システムの具体例を示すブロック図である。
【図７】本発明の実施例１の空間演出システムにおける目的情景データベースに設定された制御対象リストを示す説明図である。
【図８】本発明の実施例１の空間演出システムにおける目的情景データベースに設定された被制御装置に対する制御パラメータを示す説明図である。
【符号の説明】
【００５５】
１……イベント検出手段、３……外部情報検出手段、５……目的情景データベース、６……制御手段、７……データベース自動更新機能、８，９，１０，１１，１２……通信手段、２１，２２，２３，２４……被制御装置。
【図１】
2007053560.tif 000003
【図２】
2007053560.tif 000004
【図３】
2007053560.tif 000005
【図４】
2007053560.tif 000006
【図５】
2007053560.tif 000007
【図６】
2007053560.tif 000008
【図７】
2007053560.tif 000009
【図８】
2007053560.tif 000010